(57)【要約】  ２個の弁部分（１２、１４）を含み、２個の弁部分は、物質が通過することができるように一方の弁部分が他方の弁部分とシールして係合及び共働することができるような相補的形状であり、各々の弁部分は、ハウジング（１６、１８）と、弁座と、弁クロージャ部材（２０、２０´）と、を具備するスプリット弁アッセンブリ（１０）であって、アッセンブリは、一方及び他方の弁部分が相互に係合し弁クロージャ部材が閉せしめられる第１の形態と、２個の弁部分が相互に係合解除される第２の形態と、を有し、一方の弁部分は、２個の弁部分を選択的にロックとロック解除するために他方の弁部分に対して相対的に動くことができるロック手段（６０）を有し、前記ロック手段はシムを有する他方の弁部分によって受容される、ことを特徴とするスプリット弁アッセンブリ。【選択図】図３
2015512015.tif 000002
【特許請求の範囲】
【請求項１】
２個の弁部分を含み、２個の該弁部分は、物質が通過することができるように一方の該弁部分が他方の該弁部分とシールして係合及び共働することができるような相補的形状であり、
各々の該弁部分は、ハウジングと、弁座と、該弁座から変位して該弁が開く第１位置と該弁座と協働して該弁が閉じる第２位置との間で移動可能な弁クロージャ部材と、を具備するスプリット弁アッセンブリであって、
該アッセンブリは、一方及び他方の該弁部分が相互に係合し該弁クロージャ部材が閉せしめられる第１の形態と、該２個の弁部分が相互に係合解除される第２の形態と、を有し、
一方の該弁部分は、２個の該弁部分を選択的にロックとロック解除するために他方の該弁部分に対して相対的に動くことができるロック手段を有し、
前記ロック手段はシムを有する他方の該弁部分によって受容される、ことを特徴とするスプリット弁アッセンブリ。
【請求項２】
該ロック手段はロック対を有し、かかるロック対の一方部材は該他方部材に対して相対的に動くことができ、ロック及びロック解除するために該他方部材と選択的に係合することができる、請求項１に記載のスプリット弁アッセンブリ。
【請求項３】
該ロック対は相互に相補的形状である雄部材と雌部材を有する、請求項２に記載のスプリット弁アッセンブリ。
【請求項４】
該雄部材は該雌部材に対して相対的に動くことができるのが好ましい、請求項３に記載のスプリット弁アッセンブリ。
【請求項５】
該雄部材は並進運動することができる、請求項４に記載のスプリット弁アッセンブリ。
【請求項６】
該雄部材はピンを具備すると共に、該雌部材は該雄部材を受容する相補形状をした盲穴を具備する、請求項１乃至５のいずれかに記載のスプリット弁アッセンブリ。
【請求項７】
該雄部材は該能動弁部分に配設され、該雌部材は該受動弁部分内に配設されるのが好ましい、請求項１乃至６のいずれかに記載のスプリット弁アッセンブリ。
【請求項８】
該シムは該ピンを受容し他方の該弁部分に位置される、請求項１乃至７のいずれかに記載のスプリット弁アッセンブリ。
【請求項９】
該シムは他方の該弁部分に着脱可能に固定される、請求項８に記載のスプリット弁アッセンブリ。
【請求項１０】
他方の該弁部分に該シムを着脱可能に固定する該手段は締結手段である、請求項９に記載のスプリット弁アッセンブリ。
【請求項１１】
該締結手段はねじである、請求項１０に記載のスプリット弁アッセンブリ。
【請求項１２】
該シムは交換可能である、請求項１乃至１１のいずれかに記載のスプリット弁アッセンブリ。
【請求項１３】
該シムは該雄部材の材質とは異なる材質で作られる、請求項１乃至１２のいずれかに記載のスプリット弁アッセンブリ。
【請求項１４】
該シムは基部と楔部分とを有する、請求項１乃至１３のいずれかに記載のスプリット弁アッセンブリ。
【請求項１５】
該楔部分は、該先細り端が該盲穴の開口に近接するように位置された、請求項１４に記載のスプリット弁アッセンブリ。
【請求項１６】
該シムの該基部は、固定手段が所定位置で該シムを固定するために通す挿通開口を備える、請求項１５に記載のスプリット弁アッセンブリ。
【請求項１７】
該ピンと該シムの楔部分とは相補的形状である、請求項１６に記載のスプリット弁アッセンブリ。
【請求項１８】
該弁アッセンブリはスプリットバタフライ弁、スプリットボール弁、又はその他のスプリット弁である、請求項１乃至１７のいずれかに記載のスプリット弁アッセンブリ。
【請求項１９】
該弁部分は３１６Ｌステンレス鋼、３０４ステンレス鋼、合金２２、及びＣ２７６ニッケル合金で作られる、請求項１乃至１８のいずれかに記載のスプリット弁アッセンブリ。
【請求項２０】
該ロックピンはアルミニウム青銅、リン青銅、その他の青銅に属する物、４３１及び１７−４ＰＨのような硬い特殊グレードのステンレス鋼で作られる、請求項１９に記載のスプリット弁アッセンブリ。
【請求項２１】
該シムは３１６Ｌステンレス鋼、３０４ステンレス鋼、又は４３１又は１７−４ＰＨのようなより硬い特殊グレードのステンレス鋼で作られる、請求項２０に記載のスプリット弁アッセンブリ。
【請求項２２】
一方及び他方の弁部分と雄部材及び雌部材を有するロック手段とを有するスプリット弁アッセンブリ用のシムであって、該シムは基部と楔部分とを有し、該楔部分は該基部から延びて先細り形状であり、該基部は弁部分に該基部を固定する手段を有する。
【請求項２３】
雄部材はピンを具備すると共に、該雌部材は該雄部材を受容する相補形状をした盲穴を具備する、請求項２２に記載のシム。
【請求項２４】
該雄部材は該能動弁部分に配設され、該雌部材は該受動弁部分内に配設されるのが好ましい、請求項２３に記載のシム。
【請求項２５】
弁部分に着脱可能に固定する着脱可能な固定手段を有する、請求項２４に記載のシム。
【請求項２６】
他方の該弁部分に該シムを着脱可能に固定する該手段は締結手段である、請求項２５に記載のシム。
【請求項２７】
該締結手段はねじである、請求項２６に記載のシム。
【請求項２８】
該先細り端は該盲穴の開口に近接するように位置された、請求項２２に記載のシム。
【請求項２９】
該シムの該基部は、固定手段が所定位置で該シムを固定するために通す挿通開口を備える、請求項２２に記載のシム。
【請求項３０】
該ピンと係合するための該楔部分の該面は該ピンの面と相補的形状である、請求項２３に記載のシム。
【請求項３１】
該楔部分は弓型である、請求項３０に記載のシム。
【請求項３２】
該シムの一方面は弓型であり、円周の１／３乃至１／２の円周となるように構成されている、請求項３１に記載のシム。
【請求項３３】
該シムは、一方の曲率半径で構成される上側軸受け表面と、一方の曲率半径よりも大きい他方の曲率半径で構成される下側軸受け表面と、を有する、請求項３２に記載のシム。
【請求項３４】
一方の曲率半径の半径は該ピンの半径と実質的同等であるのが好ましい、請求項３３に記載のシム。
【請求項３５】
該シムの挿入及び／又は除去用のツールとの係合用に該シムの外部に連通可能な取り出し穴を有する、請求項２２に記載のシム。
【発明の詳細な説明】
【技術分野】
【０００１】
本発明は弁、これに限定されるわけではないが特に、粉末、液体、スラリー及び／又は流体の流量制御、流量充填、流量放出及び／又は流量調整用の弁、に関する。
【背景技術】
【０００２】
スプリットバタフライ弁のような弁は多くの様式で入手可能であり、製品収容容器が環境に対する製品の露出及び製品の近くで働く人員に対して製品の露出を防ぐ必要のある作業で広く使われている。スプリット弁は操作に予め適したように設計され、固体状態の粉末及び粒状である搬送物が収容される。
【０００３】
スプリット弁様式は、弁が二等分に分割開口し、それらは通常アルファ部分及びベータ部分、又は能動部分及び受動部分と呼ばれる。かかる弁の様式は、分割する際に二等分した弁部分が内容物を両側でシール及び封じ込めると共に外部から保護する。
【０００４】
スプリットバタフライ弁と同様に、スプリットボール弁もまた固体及びより一般的には液体である搬送物を収容するために用いられる。従来、スプリットバタフライ弁及びスプリットボール弁は製薬又はバイオテクノロジー産業において主に無菌状態での作業に使用されてきた。
【０００５】
多くの新規薬剤成分の効能が増強することにより、取り扱う物質はしばしば健康に対して有害なものとなる。医薬品及びバイオ製造物はしばしば製品汚染に対して厳格な管理の元で製造される。これは、そのような製品は人間が消費するものであり、かかる産業は米国におけるＦＤＡ（食品医薬品局）及び英国におけるＭＨＲＡ（英国医薬品庁）のような機関によって厳しく規制されているためである。更に、医薬品有効成分及び／又は希釈粉末（subsequently diluted powders）のような薬品製造が操作者の健康を害するのに十分な量の場合もある。従って、操作者と潜在的に危険な物質との直接的な接触を避けることが必要となる。
【０００６】
環境に対する製品の露出及び製品の近くで働く人員に対する製品の露出を防ぐためにスプリット弁の能動要素と受動要素との間に良好なシールを設けることが厳しく要求されているので、厳しい公差を満たし要素の形状が精確に製造されることを保証すべく、弁の要素の製造は厳格な条件下で行われる。
【０００７】
さらに、弁それ自身のハウジングが部材間に良好なシールを有することを保証するので、それ故に、弁要素はしばしば相対的に大きくなる。このことは容器を大きくすると共に扱い辛くさせる。特に、操作者の巧妙さが危険にさらされるグローブボックス容器装置内で扱われるときに、これは扱い辛いものとなる。
【０００８】
例えばＷＯ２０１００９２３９５は、ロックピンと、スプリット弁の弁部分に固定（ロック）するために前記ピンを受容するための相補的形状をした非ねじ式穴とを有し、一方の容器から他方の容器へ物質を安全に搬送することができるスプリットバタフライ弁が開示されている。しかしながら、かかる穴とピンとの整合で必要とされる公差は２つの弁部分間の良好なシールを保証するために極めて小さい。従って、ピンは、優れた締りばめを保証するために穴の長手方向軸よりわずかに中心から外れて位置される。しかしながら、ピンと穴はより一層摩耗しやすくなる。そしてこの摩耗が繰り返しの使用によって締りばめを損なうこととなる。さらに、穴内に複雑形状を機械加工することは困難かつ高コストである。
【０００９】
本発明の目的は従来技術に関連した１つ以上の課題を解決又は緩和することである。
【発明の概要】
【課題を解決するための手段】
【００１０】
本発明によれば、２個の弁部分を含み、２個の該弁部分は、物質が通過することができるように一方の該弁部分が他方の該弁部分とシールして係合及び共働することができるような相補的形状であり、
各々の該弁部分は、ハウジングと、弁座と、該弁座から変位(displace)して該弁が開く第１位置と該弁座と協働して該弁が閉じる第２位置との間で移動可能な弁クロージャ部材と、を具備するスプリット弁アッセンブリであって、
該アッセンブリは、一方及び他方の該弁部分が相互に係合し該弁クロージャ部材が閉せしめられる第１の形態と、該２個の弁部分が相互に係合解除される第２の形態と、を有し、
一方の該弁部分は、２個の該弁部分を選択的にロックとロック解除するために他方の該弁部分に対して相対的に動くことができるロック手段を有し、
前記ロック手段はシムを有する他方の該弁部分によって受容される、ことを特徴とするスプリット弁アッセンブリ、が提供される。
【００１１】
本発明は弁アッセンブリ間に確実で良好なシールを保証することができる弁アッセンブリを提供することができ、改良された弁システムを提供すべく、かかる弁アッセンブリは単純な係合機構と固定する弁部分を有する。
【００１２】
該ロック手段はロック対を有し、かかるロック対の一方部材は該他方部材に対して相対的に動くことができ、ロック及びロック解除するために該他方部材と選択的に係合することができる。
【００１３】
該ロック対は相互に相補的形状である雄部材と雌部材を有する。該雄部材は該雌部材に対して相対的に動くことができるのが好ましい。
【００１４】
該雄部材は並進運動することができるのが好ましい。
【００１５】
ある実施形態においては、該雄部材はピンを具備すると共に、該雌部材は該雄部材を受容する相補形状をした盲穴を具備する。
【００１６】
該雄部材は該能動弁部分に配設され、該雌部材は該受動弁部分内に配設されるのが好ましい。
【００１７】
該シムは該ピンを受容すると共に、該ピンの長手方向軸と垂直方向に該ピンを動かし、弁部分間により確実で良好なシールをもたらす。
【００１８】
該雄部材の長手方向軸は該雌部材の長手方向軸からオフセットしていてよい。従って、該雄部材が係合すると共に該雌部材に受容されるときには、該弁部分はより良好なシールをその間に形成すべく相互に押し合う。
【００１９】
好適には、該シムは他方の該弁部分に着脱可能に固定される。
【００２０】
更に好適には、他方の該弁部分に該シムを着脱可能に固定する該手段は締結手段からなる。
【００２１】
好ましくは、該締結手段はねじである。
【００２２】
該シムは該弁の寿命を改善するために交換できる。
【００２３】
該シムは該雄部材の材質とは異なる材質で作られる。これは摩擦と摩耗を低減して寿命（part life）を改善する。
【００２４】
該シムは該ピンよりも引張強度の小さい材料から作られる。該シムが該ピンより先に摩耗する／機能しなくなるので、これによって該弁の寿命が延長することとなる。
【００２５】
該シムは基部と楔部分とを有する。
【００２６】
該楔部分は、該先細り端が該盲穴の開口に近接するように位置されることが好ましい。
【００２７】
該楔部分は該盲穴の末端から遠方に向かって先細りであってよい。
【００２８】
該シムの該基部は、固定手段が所定位置で該シムを固定するために通す挿通開口を備えてもよい。
【００２９】
該ピンが該盲穴内に延びると共に該楔部分の遠方端と係合するので、該楔部分の該先細り形状は２個の円板が制御された方法で相互に強制させられる。これが該弁の汚染性能を改善する。
【００３０】
該ピンと係合する該楔部分の面は相補的形状である。該楔は曲がっているのが好ましい。該シムの一方の面は該ピンの曲率と一致するようにせしめられており、該他方の面は該盲穴の曲率と一致するようにせしめられている。
【００３１】
該シムの一方面は弓型であり、円周の１／３乃至１／２の円周となるように構成されている。
【００３２】
該シムは先細りであるのが好ましい。
【００３３】
該シムは、一方の曲率半径で構成される上側軸受け表面と、一方の曲率半径よりも大きい他方の曲率半径で構成される下側軸受け表面と、を有する。
【００３４】
一方の曲率半径の半径は該雄部材の半径と実質的同等であるのが好ましい。
【００３５】
該シムの半径は該雌部材と実質的同等である。
【００３６】
該シムのアーク長は該弓型部分によって定義される円の円周の１／４乃至１／２である。
【００３７】
該シムは、該シムの挿入及び／又は除去用のツールを伴う係合のために該シムの外部に連通可能な抜き取り穴(an extraction hole)を有していてよい。
【００３８】
該シムは位置に強制されるのが好ましい。
【００３９】
該シムは固定締め具で位置を保つのが好ましい。
【００４０】
該シムは挿入された後に所望形状に合致できるよう弾性変形してよい。
【００４１】
該雄部材及び楔部分は相補的形状であってよい。これが、該弁の該ピンと盲孔(bore)への摩耗及び損傷を軽減するための接触面積を最大化する。
【００４２】
ある実施形態においては、一方及び他方の該弁部分は共に雌部材であってよく、該雌部材が受容できる対応した雄部材を有する更なる弁部分があってもよい。
【００４３】
該アッセンブリの夫々の弁部分は、物質を収容する容器、ホースのような物質を搬送するための搬送手段、及び／又は従来技術である他のプロセス用機器、に取り付けることができる。該弁部分に取り付けるための該手段は、例えばねじ山、締りばめ、雌雌(female : female)アタッチメント等のような任意の従来技術であってよい。他の実施形態においては、該弁部分は容器又は搬送手段と結合していてもよい。
【００４４】
該第１の形態から該第２の形態への該動きが完了したならば、該チャンバーの該流入口及び流出口は閉じてよい。そうすることで、該アッセンブリは、該アッセンブリを通過する該物質が外部環境と接触しないことを保証する。
【００４５】
該弁座及び弁クロージャ部材は、該弁クロージャ部材が閉じたときにシールが形成されることを保証する相補的形状であるのが好ましい。
【００４６】
該弁アッセンブリはスプリットバタフライ弁、スプリットボール弁、その他のスプリット弁、又は従来技術であるクイックリリースカップリングである。好適には、該アッセンブリはスプリットバタフライ弁である。
【００４７】
好適には、該弁部分は一つの対を形成し、一方が雄又は能動的弁部分であって、他方が雌又は受動部分である。
【００４８】
好適には、該弁座はシール部材を有する。該シール部材は当接部分と弾性変形可能部分とを有し、該弾性変形可能部分は該当接部分と該弁ハウジングとの間に位置する、のが好ましい。
【００４９】
他の実施形態においては、該弁クロージャ部材は、使用に際し該弁ハウジングの実空部分と対向して係合するようなシールを受けるための凹部が配設されていてよい。
【００５０】
該シールが該弁クロージャ部材における凹部に位置する場合にあっては、該弁クロージャ部材は更に、該弁クロージャ部材とそこに位置する該シールを搬送する弾性部材を有する。
【００５１】
ある実施形態においては、該弁クロージャ部材は、更なる移動(further displacement)が該弁シールとの係合によって通常妨げられる位置を越えて回転することができ、該弁は更に該弁クロージャ部材をその閉位置内で付勢せしめる付勢手段を有する。
【００５２】
該弁シールは該弁ハウジング及び該弁クロージャ部材の両方に位置する。
【００５３】
使用中にあっては、該アッセンブリは、物質が該アッセンブリを通過できるように該第１の形態から該第２の形態に切り替わることができる。該物質が搬送されたならば、該アッセンブリは該第１形態に戻り、２個の該弁部分は係合解除される。
【００５４】
好適には、該シムは、該ロックピンが延びてロック形態になる際に、それらを相互に掴むための該弁部分に注意深く制御された力を発揮するために、特別且つ高度の公差を持った形状及び輪郭（該ロックピンと相補的である）を有する。この制御された力は収容能力及び操作の容易性を改善するのに極めて重要である。
【００５５】
該弁部分は３１６Ｌステンレス鋼、３０４ステンレス鋼、合金２２、及びＣ２７６ニッケル合金で作られる。
【００５６】
該ロックピンは耐摩耗性の材質から作られ、例えばそれは、アルミニウム青銅、リン青銅、その他の青銅に属する物、４３１及び１７−４ＰＨのような硬い特殊グレードのステンレス鋼である。
【００５７】
該ロックピンはコーティングを含む。該コーティング材料はダイヤモンドライクカーボン（ＤＬＣ）及び／又は、ＰＥＥＫ、ＰＴＦＥ及び他のグレードのようなプラスチックコートである。
【００５８】
該シムは３１６Ｌステンレス鋼、３０４ステンレス鋼、又は４３１又は１７−４ＰＨのようなより硬い特殊グレードのステンレス鋼で作られる。
【図面の簡単な説明】
【００５９】
例として、本発明の詳細な実施形態は添付した図面を参照して詳述される。
【図１】バタフライ弁の２個の弁部分の斜視図。
【図２】本発明にかかる弁アッセンブリの他方の弁部分の部分拡大図。
【図３】本発明の第１の形態及び第２の形態にかかる弁アッセンブリの一方の弁部分の部分拡大図。
【図４】図４ａ及び４ｂは、本発明にかかる弁アッセンブリの受動部と係合する弁アッセンブリの断面図。
【図５】図１乃至図３の能動弁部分を通る切断部を示す図。
【図６】係合状態における２つの弁部分を示す図。
【図７】図７ａ及び７ｂは、本発明にかかる弁アッセンブリの受動部の部分拡大図。
【００６０】
最初に図１乃至図６を参照して説明すると、弁アッセンブリ１０は上側弁部分（受動弁部分）１２と下側弁部分（能動弁部分）１４の２つの弁部分を具備し、各々の弁部分は一般に円環形状である符号１６、１８で示す弁ハウジングと、かかるハウジング内で旋回可能に配設された弁クロージャ部材２０、２０´を有する。弁ハウジング１８は環状溝１９を有する。弁クロージャ部材２０、２０´は円板形状であり、弁クロージャ部材がハウジング内で旋回可能に配設できるようにするスピンドル２２、２２´が配設されている。弁クロージャ部材２０、２０´とスピンドル２２、２２´は単一の金属片から機械加工される。
【００６１】
下側弁クロージャ部材２０のスピンドル２２の一つはアクチュエータ２６に動作可能に接続されている。従って、円板にはスピンドル２２、２２´上で回転するための穴があけられており、円板はスピンドルにより動かされる。自動アクチュエータ２６がスピンドル２２の円板の反対端で受容される。アクチュエータは２つ採用してもよく、能動弁部分のスピンドルのいずれか又は手動アクチュエータが他の実施形態で使用されてもよい。
【００６２】
弁クロージャ部材２０、２０´は、弁ハウジングで相補的形状をした凹部に着座する環状シール（図示せず）状の環状弁座と係合可能又は係合解除可能である。かかるシールは、使用に際し弁クロージャ部材２０、２０´と係合するＥＰＤＭ環状当接部（又はパーフロロエラストマー又はその他の任意の好適な物質が使用されてもよい）を含む。
【００６３】
それぞれの弁ハウジング部分１６、１８の外側端面は平坦であり、使用に際し夫々の面は例えば隣接する配管又は当業者には周知である容器に接続され、例えば整合された穴により移送路（a through passage）が形成される。
【００６４】
２つの弁ハウジング部分１６，１８の当接部は、上側弁部分１６が下側弁ハウジング部分１８内にマウントされ、上側弁部分１６が雄、下側弁部分１８が雌となるような対を形成する。第１の実施形態（図２）においては、２つの弁部分は係合され、弁クロージャ部材は外部環境からシールされ、弁を通って搬送される物質は外部環境によって汚染されることはない。
【００６５】
弁１０の能動部分又は雄部分１４はハウジング６２内の直径方向両側に位置する２個の可動ロックピン６０を有する。夫々のピン６０は、ピンがハウジング６２内に位置するロック解除位置（図３参照）から、ピン６０がそのハウジングを越えて延びるロック位置又は係合位置（図４参照）まで、並進運動することができる。
【００６６】
ハウジング６２はスピンドル２２の一部を形成する。
【００６７】
２個の相補的形状をした盲穴６４がある。かかる盲穴は夫々のピン６０を受容する形状である雌弁部分１２内に位置する。盲穴６４は実質的に楕円形状である。夫々のピンは盲穴６４内でピンを案内するための面取りした縁６３を有する。
【００６８】
図５ａ及び図５ｂは弁の雌部分又は受動部分と係合及び係合解除するロック部材を示す。図からわかる通り、ピンは後退位置（図５ａ）からピンが盲穴に受容される前進位置（図５ｂ）へ移動することができる。
【００６９】
シム９８は基部１００と楔部分１０２から構成される。楔部分の形状は、摩擦及び摩耗を軽減して穴６４内にピンを容易に進入せしめるために、ピン６０の先細り端と相補的な形状である。
【００７０】
シム９８はより強固な締りばめを形成する穴６４の内側壁に対してロックピン６０を強制する。従って、ピン６０と穴６４との公差はあまり気にかけなくてよく、その結果製造がより簡単にそして低コストとなる。
【００７１】
楔部分１０２は基部１００から先細りである。
【００７２】
シム９８の基部１００はねじ１１２を受容するための開口部１１０を有する実質的な円形部材である。固定されたねじの頭が基部１００の面と同一平面になった際にねじが基部から突出して座しないことを保証するために、開口部１１０はねじ１１２の頭を受容するための円形凹部１１４を有する。
【００７３】
楔１０２は、傾斜領域１２０と平坦領域１２２の２つの部分を有する。
【００７４】
シムは長手方向断面において実質的にＬ字形状である。
【００７５】
シムはピンのそれ（弓型楔部分）と相補的形状をなす弓型楔部分を有する。
【００７６】
弁クロージャ部材は９０度の間で回転可能に設置され、弁クロージャ部材が完全開口位置にあるときは、弁クロージャ部材２０、２０´の内面５０、５０´の側面形状が弁ハウジングの移送穴（through bore）の形状と対応し、これにより流体又は他の物質の流れの抵抗が最小になるように形成される。
【００７７】
弁アッセンブリはかかる第２の形態で完全に係合され、これによりシート２８、２８´はシールを形成して一体となり、弁クロージャ部材２０、２０´は相互に当接すると共に夫々の弁部分を開せしめるために回転することができる。そしてかかる弁部分はシールして係合され、それにより物質が汚染されることなく物質が通過できる。下側弁クロージャ部材２０´のスピンドル２２、２２´が回転すると、上側弁クロージャ部材２０´も回転することとなる。
【００７８】
他の実施形態においては、雌弁部分に位置する盲穴は実質的に円形盲穴２００である。図７ａ及び図７ｂはかような実施形態の部分図である。穴２００は実質的に円周側壁２０２を有し、側壁２０２の底部は、楔１０２が入り込む凹状支持面２０４を有する平坦にされている。支持面２０４は側壁２０２内に形成されている。かかる凹部は楔１０２を受け入れると共に支持する形状である。
【００７９】
ある実施形態においては、ドッキング前後でのその場(in-situ)除菌又は浄化ステップをすることで、本発明の弁は完全な除菌又は浄化された態様で操作することができ、弁の開く回数及び再ドック回数にかかわらず、ドック及びドック解除前後の製品接触部分で無菌状態を保証する。
【００８０】
これらのバリアはシール、ガスケット、Ｏ−リング又はシート或いはインフレータブルシールの任意の組み合わせにより形成される。
【００８１】
弁が２つに分割して開いたとき、夫々の弁部分が弁クロージャ部材によって外部環境からシールされるので、容器等内に収容されたあらゆる物質は無菌状態が維持される。
【００８２】
本発明は上述した実施形態に限定されることはない。例えば、弁アクチュエータは手動ハンドルのような異なるアクチュエータに置き換えられてもよい。
【００８３】
本発明の他の実施形態はボールクロージャ部材を有する弁のバタフライ弁クロージャ部材に置き換える。
【図１】
2015512015.tif 000003
【図２】
2015512015.tif 000004
【図３ａ】
2015512015.tif 000005
【図３ｂ】
2015512015.tif 000006
【図４ａ】
2015512015.tif 000007
【図４ｂ】
2015512015.tif 000008
【図５ａ】
2015512015.tif 000009
【図５ｂ】
2015512015.tif 000010
【図６】
2015512015.tif 000011
【図７ａ】
2015512015.tif 000012
【図７ｂ】
2015512015.tif 000013
【国際調査報告】
2015512015.tif 000014
2015512015.tif 000015